(57)【要約】【課題】撮影時において、組写真としてユーザが希望する構図やタイミングで撮影された静止画による組写真を簡単に生成する。【解決手段】  撮影機器は、被写体を撮像して撮像画像を得る撮像部と、上記撮像画像から得た複数の静止画を組写真として配置するための枠を上記静止画の撮影前に撮影者の操作に基づいて設定する枠設定部と、上記静止画の撮影前に撮影者による被写体指定操作に基づいて上記撮像画像中から被写体を判定する被写体判定部と、撮影者による操作に基づいて上記被写体判定部が判定した被写体を含む上記静止画を上記枠設定部が設定した枠に配置する配置部と、上記撮像画像から上記静止画を取得する静止画取得部と、上記静止画取得部によって取得された静止画を上記配置部の配置に従って合成して組写真を生成する合成部とを具備する。【選択図】図１
2015012535.tif 000002
【特許請求の範囲】
【請求項１】
被写体を撮像して撮像画像を得る撮像部と、
上記撮像画像から得た複数の静止画を組写真として配置するための枠を上記静止画の撮影前に撮影者の操作に基づいて設定する枠設定部と、
上記静止画の撮影前に撮影者による被写体指定操作に基づいて上記撮像画像中から被写体を判定する被写体判定部と、
撮影者による操作に基づいて上記被写体判定部が判定した被写体を含む上記静止画を上記枠設定部が設定した枠に配置する配置部と、
上記撮像画像から上記静止画を取得する静止画取得部と、
上記静止画取得部によって取得された静止画を上記配置部の配置に従って合成して組写真を生成する合成部と
を具備したことを特徴とする撮影機器。
【請求項２】
上記静止画取得部は、上記撮像部の動画撮影中に、上記撮像画像中の被写体を指定する操作に応じたタイミングで上記操作により指定された被写体を含む静止画を取得する
ことを特徴とする請求項１に記載の撮影機器。
【請求項３】
上記静止画取得部は、上記撮像部の動画撮影中に、上記撮像画像中の被写体が所定の静止画取得条件を満足することにより条件を満足した被写体を含む静止画を取得する
ことを特徴とする請求項１に記載の撮影機器。
【請求項４】
上記静止画取得部は、上記撮像部の動画撮影前に、上記撮像画像中の被写体を指定する操作に基づいて上記静止画取得条件の判定の対象となる被写体を決定する
ことを特徴とする請求項３に記載の撮影機器。
【請求項５】
上記静止画取得部は、上記撮像部の動画撮影中に、上記撮像画像中の被写体を指定する操作に基づいて上記静止画取得条件の判定の対象となる被写体を決定する
ことを特徴とする請求項３に記載の撮影機器。
【請求項６】
撮影者の操作に基づいて上記静止画取得条件を設定する条件判定部
を具備したことを特徴とする請求項３乃至５のいずれか１つに記載の撮影機器。
【請求項７】
上記枠設定部は、上記撮像画像を表示する表示画面上に配置されるタッチ検出部のエリアを囲む操作に基づいて、上記枠を設定する
ことを特徴とする請求項１乃至６のいずれか１つに記載の撮影機器。
【請求項８】
撮像部が、被写体を撮像して撮像画像を得、
枠設定部が、上記撮像画像から得た複数の静止画を組写真として配置するための枠を上記静止画の撮影前に撮影者の操作に基づいて設定し、
被写体判定部が、上記静止画の撮影前に撮影者による被写体指定操作に基づいて上記撮像画像中から被写体を判定し、
配置部が、撮影者による操作に基づいて上記被写体判定部が判定した被写体を含む上記静止画を上記枠設定部が設定した枠に配置し、
静止画取得部が、上記撮像画像から上記静止画を取得し、
合成部が、上記静止画取得部によって取得された静止画を上記配置部の配置に従って合成して組写真を生成する
ことを特徴とする撮影方法。
【発明の詳細な説明】
【技術分野】
【０００１】
本発明は、静止画及び動画の撮影が可能なデジタルカメラ等に好適な撮影機器及び撮影方法に関する。
【背景技術】
【０００２】
近年、デジタルカメラなどの撮影機能付き携帯機器（撮影機器）が普及している。この種の撮影機器においては表示部を有して、撮影画像を表示する機能を有するものもある。また、表示部にメニュー画面を表示して、撮影機器の操作を容易にしたものもある。更に、表示部にタッチパネルを配置して、タッチパネルに対するタッチ操作によって撮影機器の操作が可能なものもある。
【０００３】
また、この種の撮影機器においては、画像処理を駆使して、撮影した写真に、様々な効果を付加する技術も開発されており、例えば、撮影した複数の写真を組み合わせて１枚の写真とする組写真を生成する撮影機器も開発されている。
【０００４】
また、静止画だけでなく、動画撮影が可能な撮影機器もある。更に、動画撮影中において、静止画を取得可能にした装置も開発されている。例えば、特許文献１においては、動画撮影時に、より好ましい構図の静止画を取得するようにした装置が開示されている。
【先行技術文献】
【特許文献】
【０００５】
【特許文献１】特開２００９−８９２２０号公報
【発明の概要】
【発明が解決しようとする課題】
【０００６】
しかしながら、特許文献１の提案では、組写真を想定しておらず、単写真としては良い構図であっても組写真に適した構図やタイミングで撮影された静止画が得られるとは限らない。例えば、撮像画像中に複数の被写体が存在する場合、全ての被写体が同時に最適な構図になるとは限らず、このため、特許文献１の発明を利用したとしても、ユーザが希望する静止画による組写真が生成されない可能性が高く、希望する組写真を得るために撮影を繰り返す必要があるという問題があった。
【０００７】
本発明は、撮影時において、組写真としてユーザが希望する構図やタイミングで撮影された静止画による組写真を簡単に生成することができる撮影機器及び撮影方法を提供することを目的とする。
【課題を解決するための手段】
【０００８】
本発明に係る撮影機器は、被写体を撮像して撮像画像を得る撮像部と、上記撮像画像から得た複数の静止画を組写真として配置するための枠を上記静止画の撮影前に撮影者の操作に基づいて設定する枠設定部と、上記静止画の撮影前に撮影者による被写体指定操作に基づいて上記撮像画像中から被写体を判定する被写体判定部と、撮影者による操作に基づいて上記被写体判定部が判定した被写体を含む上記静止画を上記枠設定部が設定した枠に配置する配置部と、上記撮像画像から上記静止画を取得する静止画取得部と、上記静止画取得部によって取得された静止画を上記配置部の配置に従って合成して組写真を生成する合成部とを具備する。
【０００９】
また、本発明に係る撮影方法は、撮像部が、被写体を撮像して撮像画像を得、枠設定部が、上記撮像画像から得た複数の静止画を組写真として配置するための枠を上記静止画の撮影前に撮影者の操作に基づいて設定し、被写体判定部が、上記静止画の撮影前に撮影者による被写体指定操作に基づいて上記撮像画像中から被写体を判定し、配置部が、撮影者による操作に基づいて上記被写体判定部が判定した被写体を含む上記静止画を上記枠設定部が設定した枠に配置し、静止画取得部が、上記撮像画像から上記静止画を取得し、合成部が、上記静止画取得部によって取得された静止画を上記配置部の配置に従って合成して組写真を生成する。
【発明の効果】
【００１０】
本発明は、撮影時において、組写真としてユーザが希望する構図やタイミングで撮影された静止画による組写真を簡単に生成することができるという効果を有する。
【図面の簡単な説明】
【００１１】
【図１】本発明の第１の実施の形態に係る撮影機器の回路構成を示すブロック図。
【図２】枠生成部２１ｂの枠の設定方法の一例を説明するための説明図。
【図３】枠の設定が終了した状態を示す説明図。
【図４】枠の設定が終了した状態を示す説明図。
【図５】組写真生成処理を説明するためのフローチャート。
【図６】組写真生成操作を説明するための説明図。
【図７】本発明の第２の実施の形態を示すブロック図。
【図８】条件判定部２１ｃを説明するための説明図。
【図９】条件判定部２１ｃを説明するための説明図。
【図１０】組写真生成処理を説明するためのフローチャート。
【図１１】第２の実施の形態の動作を説明するための説明図。
【図１２】第２の実施の形態の動作を説明するための説明図。
【図１３】第２の実施の形態の動作を説明するための説明図。
【図１４】本発明の第３の実施の形態を示すフローチャート。
【図１５】複数の設定を行う場合の動作を示すフローチャート。
【発明を実施するための形態】
【００１２】
以下、図面を参照して本発明の実施の形態について詳細に説明する。
【００１３】
（第１の実施の形態）
図１は本発明の第１の実施の形態に係る撮影機器の回路構成を示すブロック図である。本実施の形態は、動画記録中に、ユーザの希望に添った静止画を用いて組写真を生成することを可能にしたものである。
【００１４】
本実施の形態における撮影機器１０は、前面にレンズ部１１が配置されている。レンズ部１１は、撮像部１５に被写体像を導く光路部１２を有しており、光路部１２には、ズームやフォーカシングのための複数のレンズ１３及び絞り等（図示せず）が設けられている。レンズ部１１に設けられたレンズ制御部１４は、後述する制御部２１によって制御されて、光路部１２に設けられたレンズ１３及び絞りを駆動して、ピント合わせ、絞り調整及びズーム制御が可能となっている。
【００１５】
レンズ部１１の後端側には、ＣＣＤやＣＭＯＳセンサ等の撮像素子１６によって構成された撮像部１５が設けられている。撮像部１５は、前面に設けられたレンズ部１１からの被写体像を光電変換して撮像画像を得る。撮像部１５は、制御部２１によって駆動制御されて、撮像画像を出力する。
【００１６】
制御部２１は、例えばＣＰＵ等によって構成されて、撮影機器１０の各部を制御する。制御部２１は、撮像部１５に撮像素子の駆動信号を出力すると共に、撮像部１５からの撮像画像を読み出す。制御部２１は、読み出した撮像画像に対して、所定の信号処理、例えば、色調整処理、マトリックス変換処理、ノイズ除去処理、その他各種の信号処理を行う。
【００１７】
撮影機器１０には、操作検出部３１も配設されている。操作検出部３１は、撮影機器１０に設けられた図示しないレリーズボタン、ファンクションボタン、撮像モード設定等の各種スイッチ等を含む操作部に対するユーザ操作に基づく操作信号を発生して、制御部２１に出力するようになっている。制御部２１は、操作信号に基づいて、各部を制御する。
【００１８】
制御部２１は、撮像画像を画像記録部３５に与えて記録させることができる。この場合には、制御部２１は、信号処理後の撮像画像を圧縮処理し、圧縮後の画像を画像記録部３５に与えて記録させることができる。画像記録部３５としては、例えばカードインターフェースを採用することができ、画像記録部３５はメモリカード等の記録媒体に画像情報及び音声情報等を記録可能である。
【００１９】
制御部２１の表示制御部２１ａは表示に関する各種処理を実行する。表示制御部２１ａは、信号処理後の撮像画像を表示部３６に与えることができる。表示部３６は、ＬＣＤ等の表示画面を有しており、表示制御部２１ａから与えられた画像を表示する。また、表示制御部２１ａは、各種メニュー表示等をこれらの表示画面に表示させることもできるようになっている。
【００２０】
表示部３６は、後述するように、撮像画像を表示する表示画面３６ａ（図２参照）を有している。また、表示画面３６ａ上には、タッチパネルによって構成されるタッチ検出部３２が設けられている。タッチ検出部３２は、ユーザが指で指し示した表示画面３６ａ上の位置に応じた操作信号を発生することができる。この操作信号は、制御部２１に供給される。これにより、制御部２１は、ユーザが表示画面３６ａ上をタッチしたりスライドさせたりした場合には、ユーザのタッチ位置、指を近接させたり離間させる操作、スライド操作やスライド操作によって到達した位置、スライド方向、タッチしている期間等の各種操作を検出することができ、ユーザ操作に対応した処理を実行することができるようになっている。
【００２１】
なお、表示部３６は、撮影機器１０の例えば背面の略全域を占めるように配設されており（図２参照）、撮影者は、撮影時に表示部３６の表示画面３６ａ上に表示されたスルー画を確認することができ、スルー画を確認しながら撮影操作を行うことができる。
【００２２】
なお、撮影機器１０にはメモリ部３４が設けられており、制御部２１はメモリ部３４を作業用メモリとして用いると共に、撮像画像の一時記録用としても用いる。また、撮影機器１０にはストロボ発光部３９が設けられており、ストロボ発光部３９は、制御部２１に制御されて、ストロボ発光するようになっている。
【００２３】
本実施の形態においては、撮影機器１０には、顔検出部２５，人体検出部２６及び色・柄検出部２７が設けられている。顔検出部２５は、公知の顔検出の手法によって、撮像画像中の人物の顔を検出する。例えば、顔検出部２５は、顔の明るさの特徴をモデル化した複数の濃淡画像と撮像画像とを順次比較することで、人物の顔を検出する手法を採用してもよい。また、顔検出部２５は、例えば笑顔の場合における口角の角度や目尻の角度、顔パーツの陰影の特徴を記憶したデータベースを利用することで、顔の表情を判定することもできる。更に、顔検出部２５は、多数の人物の顔の特徴量を記憶したデータベースを利用することで、撮像された人物の年齢、性別等を判定することも可能である。また、顔検出部２５は、検出した対象物の撮像画像中の位置から顔等の対象物が存在する方向（顔方向）を判定することもできる。
【００２４】
人体検出部２６は、顔検出部２５と同様の手法によって、人体や動物等を検出することができる。また、色・柄検出部２７は、指定された色・柄のパターンを撮像画像中から検出することができるようになっている。
【００２５】
本実施の形態においては、制御部２１は、動画撮影中において組写真を生成する組写真生成モードを設定可能である。本実施の形態における組写真生成モードにおいては、ユーザは、組写真中の各写真の配置を規定する枠を指定することができるようになっている。制御部２１の枠生成部２１ｂは、ユーザ操作に基づいて、所定の形状、位置、サイズの複数の枠を設定する。例えば、枠生成部２１ｂは、タッチ検出部３２によって検出されたユーザのタッチ操作やスライド操作によって枠を設定する。また、枠生成部２１ｂは、予め設定されている複数の枠のパターンからユーザの選択操作によって１つの枠のパターンを選択するようにしてもよい。
【００２６】
図２は枠生成部２１ｂの枠の設定方法の一例を説明するための説明図である。図３及び図４は枠の設定が終了した状態を示す説明図である。
【００２７】
組写真生成モードにおいては、枠生成部２１ｂは、ユーザによるタッチ・スライド操作を検出して、枠の範囲を決定する。例えば、ユーザが指で表示部３６の表示画面３６ａ上に配置されたタッチ検出部３２上のある範囲を囲むようにスライド操作を行うものとする。枠生成部２１ｂは、スライド操作によって囲まれた範囲の水平方向両端の位置を通過する２つの縦線及び垂直方向の両端の位置を通過する２つの横線によって囲まれた範囲を枠に設定する。
【００２８】
例えば、ユーザが図２（ａ）の太線矢印にて示すようにスライド操作することによって、丸印の位置において両端が検出され、直線４１ｒ，４１ｌ，４１ｕ，４１ｄによる枠４１によって囲まれた範囲が組写真における１つの写真の配置位置となる。同様に、ユーザが図２（ｂ），（ｃ）の太線にて示す範囲をスライド操作することによって、丸印の位置に基づいて上下四隅が検出され、直線４２ｒ，４２ｌ，４２ｕ，４２ｄによる枠４２及び直線４３ｒ，４３ｌ，４３ｕ，４３ｄによる枠４３によって囲まれた範囲が組写真における写真の配置位置となる。こうして、図３に示すように、表示画面３６ａ中に、３つの枠４１から４３が設定される。また、枠のサイズや位置、分割数等は適宜設定可能であり、例えば、図４（ａ）のように３分割してもよく、図４（ｂ）のように２分割にしてもよく、図４（ｃ）のように更に細かく枠を設定してもよい。
【００２９】
更に、ユーザが既に設定されている枠内においてスライド操作を行うことにより、設定された枠を複数の枠に分割して新たな複数の枠を設定することも可能である。
【００３０】
なお、上記手法は一例であり、枠生成部２１ｂは、枠を指定する種々の操作を検出し枠を生成してもよい。例えば、ユーザがタッチ検出部３２上でピンチ操作をすることにより、ピンチ操作の両端点を対角線とする長方形を枠に設定してもよい。また、例えば、枠の境界を直線によって指定する手法を採用してもよい。また、タッチ操作ではなく、キーやダイヤル操作によって、枠を指定するようにしてもよいことは明らかである。
【００３１】
動画処理部２１ｄは、動画撮影が指示されると、撮像部１５を制御して動画像を撮像させ、撮像部１５からの動画像を画像記録部３５に与えて順次記録を開始させる。動画撮影の停止操作が行われると、動画処理部２１ｄは、記録された動画像をファイル化する。
【００３２】
本実施の形態においては、制御部２１には、動画処理部２１ｄの動画撮影時において、静止画の撮像を可能にする静止画処理部２１ｅが設けられている。静止画処理部２１ｅは、図示しないレリーズボタンのレリーズ操作やタッチ検出部３２に対するタッチ操作等によって静止画撮像が指示されると、撮像部１５からの撮像画像を静止画像として画像記録部３５に与えることができるようになっている。
【００３３】
本実施の形態においては、制御部２１中の配置部２１ｇは、組写真生成モード時において、ユーザが指定する被写体をいずれの枠に配置するかを決定する被写体配置処理を実行するようになっている。配置部２１ｇは、組写真生成モード時には、表示画面３６ａ上における被写体タッチ操作に応じて、顔検出部２５，人体検出部２６及び色・柄検出部２７を制御することで被写体検出を行い、検出された被写体をユーザが指定した枠に配置するための被写体配置処理を行う。
【００３４】
配置部２１ｇは、被写体配置処理において静止画処理部２１ｅを制御して、ユーザのタッチ操作によって指定された被写体を含む所定の切出し範囲を設定し、当該切出し範囲内の画像を枠に対応させてメモリ部３４に仮記録させる。ユーザが全ての枠に対する被写体指定を行うことで、組写真の全ての枠に対応する画像がメモリ部３４に仮記録される。なお、一部の枠に対する被写体指定が無かった場合には、配置部２１ｇは、指定が無かった枠に全体写真や背景等の任意の画像を嵌込むようにしてもよい。
【００３５】
画像合成部２１ｆは、メモリ部３４に仮記録された各切出し範囲の画像を合成して、１枚の組写真を生成することができるようになっている。画像合成部２１ｆは、生成した組写真を画像記録部３５に与えて記録させる。なお、静止画処理部２１ｅにおける切出し範囲のサイズを枠のサイズよりも大きくすることで、画像合成部２１ｆは、組写真の生成に際して各枠内で画像を移動させることができ、また、適宜のサイズに拡大、縮小することも可能である。例えば、ユーザによるピンチ操作に応答して、サイズを拡大又は縮小するようにしてもよい。
【００３６】
なお、表示制御部２１ａは、静止画処理部２１ｅにおける被写体配置処理に対応した画像表示を行うことができる。即ち、表示制御部２１ａは、動画記録中において、記録中の動画表示上に、組写真を配置する枠を縮小表示し、切出された画像を縮小して枠内に表示することができるようになっている。
【００３７】
次に、このように構成された実施の形態の動作について図５及び図６を参照して説明する。図５は組写真生成処理を説明するためのフローチャートであり、図６は組写真生成操作を説明するための説明図である。
【００３８】
本実施の形態においては、組写真は、動画撮影時に生成される。ユーザの動画撮影開始操作が行われると、制御部２１の動画処理部２１ｄは、撮像部１５を制御して動画の撮影を開始させる。撮像部１５は被写体を撮像し、撮像画像を制御部２１に出力する。制御部２１の動画処理部２１ｄは、撮像画像を画像記録部３５に与えて記録を開始する（ステップＳ１）。
【００３９】
本実施の形態においては、枠生成部２１ｂは、ステップＳ２において、ユーザによる枠設定操作が行われたか否かを判定する。ユーザが例えばタッチ検出部３２に対するスライド操作を行うと、枠生成部２１ｂは、このユーザ操作が枠設定操作であるものと判定して、枠を設定する。
【００４０】
図６（ａ）はユーザが設定した枠４１〜４３を示している。表示部３６の表示画面３６ａ上には、現在撮像中の動画がライブ画像５１として表示されている（図６（ａ）では図示省略）。ユーザは表示画面３６ａ上をスライド操作することで、図６（ａ）に示す枠４１〜４３を設定する。枠生成部２１ｂは、枠の設定が終了したものと判定すると、枠を確定して、表示画面３６ａ上に縮小表示する（ステップＳ３）。図６（ｂ）の枠４１ａ〜４３ａは、表示画面３６ａ上に表示された枠の縮小表示を示している。
【００４１】
次に、配置部２１ｇは、ステップＳ４において、組写真の枠に嵌込む画像をユーザが指定したか否かを判定する。例えば、ユーザが表示画面３６ａ上のライブ画像５１中の人物の画像部分をタッチすることで、配置部２１ｇは、ユーザが組写真の枠に嵌込む画像を指定する操作を行ったものと判定して、顔検出部２５、人体検出部２６及び色・柄検出部２７の出力を元に当該人物の画像部分を検出する。
【００４２】
次に、配置部２１ｇは、検出した人物を含む所定の切出し範囲を設定する（ステップＳ６）。例えば、例えば、ユーザが手５２の指によって、ライブ画像５１中の中央の人物上をタッチすると、この人物の画像部分が検出され、この画像部分を含む所定の切出し範囲が設定される。更に、人物をタッチしている指を、ユーザが枠までドラッグすることで（ステップＳ７）、配置部２１ｇは、静止画処理部２１ｅを制御して、当該切出し範囲の画像をドラッグした枠に対応させてメモリ部３４に記憶させる（ステップＳ８）。
【００４３】
図６（ｃ）はユーザが手５２の指を枠４１ａ上までドラッグしたことを示しており、この場合には、配置部２１ｇは、切出し範囲の画像を枠４１ａに対応させて記憶させる。更に、配置部２１ｇは、この切出し範囲の画像を表示制御部２１ａに与えて、枠４１ａ内に切出し範囲の画像を縮小表示させる（ステップＳ９）。これにより、ユーザは、自分が組写真の１つの写真として選択した静止画が自分が指定した枠内に嵌込まれた様子を確認することができる。
【００４４】
制御部２１は、ステップＳ１０において、全ての枠に組写真の各写真が割当てられたか否かを判定する（ステップＳ１０）。全ての枠への登録が終了していない場合には、ステップＳ１２において動画撮影の終了操作が行われたか否かを判定し、行われていない場合には処理をステップＳ２に戻して処理を繰り返す。なお、ステップＳ２に処理を戻すことで、枠の再設定が可能である。
【００４５】
ユーザは、動画記録されているライブ画像５１を見ながら、自分が気に入った被写体を気に入ったタイミングで指定して、組写真に用いる各静止画を選択することができる。
【００４６】
全ての枠に、組写真の各写真が割当てられると、画像合成部２１ｆは、メモリ部３４に記憶されている各写真によって組写真を合成する（ステップＳ１１）。動画撮影の終了操作が行われると、制御部２１は、ステップＳ１２から処理をステップＳ１３に移行して、画像記録部３５に記録されている動画像をファイル化する。
【００４７】
次のステップＳ１４では、画像合成部２１ｆが合成した組写真が表示制御部２１ａによって表示画面３６ａ上に全画面表示される。画像合成部２１ｆは、ユーザ操作に従って、メモリ部３４に記録された各静止画の枠に対するサイズ及び位置を調整して再合成することができる。即ち、ユーザは、表示画面３６ａ上に表示された組写真を見ながら、各静止画のサイズや配置位置を変更することができる。
【００４８】
例えば、ユーザが枠４１ａをタッチして所定方向に指をスライドさせることで、そのスライド方向及びスライド量に応じて、枠４１ａ内における静止画の位置を変化させることができる。また、ユーザが枠４１ａ内をピンチ操作することで、ピンチ操作の方向及びピンチ量に応じて、枠４１ａ内における写真のサイズを拡大又は縮小させることができる。
【００４９】
ユーザが確定操作を行うと、処理がステップＳ１５からステップＳ１６に移行して、画像合成部２１ｆは組写真の合成を確定すると共に、合成した組写真を画像記録部３５に与えて記録させる。
【００５０】
このように本実施の形態においては、動画撮影中に、ユーザ操作に基づいて組写真の各写真を配置する枠を決定し、ユーザが指定した人物を指定したタイミングで取得して、各枠に配置する静止画を選択することができる。指を画面上でスライドさせて囲む操作によって組写真を配置する各枠を設定することができ、また、組写真として選択する静止画は、表示されているライブ画像中の被写体をユーザが指で指定するという極めて簡単な操作によって決定することができ、極めて簡単に、ユーザが希望する構図やタイミングで撮影された静止画による組写真を生成することができる。
【００５１】
（第２の実施の形態）
図７は本発明の第２の実施の形態を示すブロック図である。図７において図１と同一の構成要素には同一符号を付して説明を省略する。第１の実施の形態においては、動画像中から組写真に用いる静止画を取込むタイミングをユーザが指定する例について説明した。本実施の形態は、ユーザが指定した被写体を、所定の条件に従って、自動的に取込むようにしたものである。
【００５２】
本実施の形態における撮影機器６０は、条件判定部２１ｃを付加した制御部６１を採用した点が図１の撮影機器１０と異なる。条件判定部２１ｃは、ユーザ操作に従って、組写真の各静止画を取得する条件（以下、静止画取得条件という）を設定すると共に、動画撮影中の動画像中に静止画取得条件に一致した画像が含まれるか否かを判定し、含まれる場合には当該画像を組写真に用いる静止画とし取得するようになっている。静止画取得条件としては、被写体の表情、体位、構図等が考えられる。
【００５３】
図８及び図９は条件判定部２１ｃを説明するための説明図である。条件判定部２１ｃは、ユーザ操作に基づいて各枠と設定する静止画取得条件との関係を記述したテーブルを生成する。静止画取得条件の設定は、ユーザのタッチ操作によるアクションを検出することで行われる。図８は条件判定部２１ｃによって設定される静止画取得条件と、アクションとの関係を示しており、ユーザがタッチ検出部３２に対して図８に示すタッチやスライド操作を行うことで、条件判定部２１ｃは、対応する静止画取得条件を決定する。
【００５４】
図８（ａ）は表情に関する静止画取得条件を決定するためのアクションを示し、図８（ｂ）は体の向きに関する静止画取得条件を決定するためのアクションを示している。例えば、ユーザが手５２の指で、タッチ検出部３２上を中央が下がる円弧状のスライド操作をした場合には、条件判定部２１ｃは、表情が笑い顔であることを組写真に用いる静止画の静止画取得条件として設定する。また、ユーザが手５２の指で、タッチ検出部３２上を上から下方に直線状にスライド操作をした場合には、条件判定部２１ｃは、体の向きが正面であることを組写真に用いる静止画の静止画取得条件として設定する。
【００５５】
例えば、図９に示す表示画面３６ａ上に表示された枠４１〜４３上において、ユーザが図８に示すアクションを行うことによって、条件判定部２１ｃは、アクションを行った枠とアクションによって設定された静止画取得条件との関係を設定する。また、条件判定部２１ｃは、各枠毎に設定された静止画取得条件を表示制御部２１ａに与えて、各枠上に条件表示４１ｂ〜４３ｂを表示させる。
【００５６】
次にこのように構成された実施の形態の動作について図１０乃至図１３を参照して説明する。図１０は組写真生成処理を説明するためのフローチャートである。図１０において図５と同一の手順には同一符号を付して説明を省略する。図１１乃至図１３は第２の実施の形態の動作を説明するための説明図である。
【００５７】
本実施の形態においても、組写真は動画撮影時に生成されるが、動画撮影前に静止画取得条件を設定するようになっている。本実施の形態においては、枠生成部２１ｂは、動画撮影前にユーザ操作に基づいて枠を設定する（ステップＳ２１）。枠生成部２１ｂは、例えば、図２乃至図４にて示した方法によって枠を設定する。次に、配置部２１ｇは、ステップＳ２２において静止画撮影操作が行われたか否かを判定する。
【００５８】
ユーザは組写真に用いる被写体を設定するために、組写真に用いる被写体が全て含まれるように静止画撮影を行う。撮影操作が行われると、配置部２１ｇは、ユーザによる被写体の割当て操作のために、表示制御部２１ａを制御して、枠の縮小表示及びユーザが撮影した静止画の縮小表示を表示画面３６ａ上に表示させる。
【００５９】
図１１はこの状態を示す説明図である。図１１に示すように、表示画面３６ａ上には、縮小表示された枠４１ｃ〜４３ｃが表示されると共に、静止画の縮小表示７１が表示されている。配置部２１ｇは、静止画の縮小表示７１中の被写体をタッチして枠上にドラッグするユーザ操作によって、各枠４１ｃ〜４３ｃに割当てる被写体を決定する（ステップＳ２３）。例えば、図１１では、矢印によって、静止画の縮小表示７１中の中央の人物を枠４１ｃに割当て、左側の人物を枠４２ｃに割当てることを示している。
【００６０】
配置部２１ｇによって各枠への人物の登録が終了すると、条件判定部２１ｃは、以後、ユーザが登録した人物を検出する。更に、条件判定部２１ｃは、例えば図８及び図９にて説明したユーザ操作に応じて、各枠に静止画取得条件を設定する（ステップＳ２４）。全ての枠に対する静止画取得条件の設定が終了すると、ステップＳ２５において動画撮影開始操作の待機状態となる。
【００６１】
ユーザが動画撮影の開始操作を行うと、図１２に示すように、撮像部１５からの動画像がライブ画像７２として表示画面３６ａ上に表示されると共に、枠の縮小表示４１ｅ〜４３ｅがライブ画像７２上に表示される。条件判定部２１ｃは、撮像画像からユーザが選択した被写体を追尾し、被写体の撮像画像が静止画取得条件に一致するか否かを判定する（ステップＳ２７）。追尾中の被写体が静止画取得条件に一致すると、当該被写体を含む所定の範囲を静止画として切出してメモリ部３４に枠に対応させて記憶させる（ステップＳ２８）。
【００６２】
なお、本実施の形態においても、静止画処理部２１ｅは、この切出し範囲の画像を表示制御部２１ａに与えて、枠内に切出し範囲の画像を縮小表示させる。これにより、ユーザは、自分が組写真の１つの写真として選択した静止画が自分が指定した枠内に嵌込まれた様子を確認することができる。
【００６３】
ステップＳ１０以降のフローは、第１の実施の形態と同様である。なお、ステップＳ１４における組写真表示・調整処理においては、生成された組写真を保存するか再撮影するかを選択させることもできる。図１３はこの場合の表示を示している。表示画面３６ａ上には生成された組写真が表示されている。枠４１には静止画７５が表示され、枠４２には静止画７６が表示され、枠４３には全体画像である静止画７７が表示されている。また、表示画面３６ａ上には、保存を指定するボタン表示７８及び再撮影を指定するボタン表示７９が表示されている。ユーザがボタン表示７９を選択した場合には、処理はステップＳ２９からステップＳ２３に戻って、被写体の割当て、静止画取得条件が再度指定されて、組写真が再生成される。
【００６４】
このように本実施の形態においては、ユーザが組写真を配置する枠の指定、各枠に割当てる被写体の指定及び静止画を取得する条件を設定しておくことで、動画撮影中において自動的に組写真が生成される。これにより、ユーザは、動画撮影に集中することができ、理想的な動画像を記録することができると同時に、ユーザが希望する構図やタイミングで撮影された静止画による組写真を生成することができる。
【００６５】
（第３の実施の形態）
図１４は本発明の第３の実施の形態を示すフローチャートである。図１４において図１０と同一の手順には同一符号を付して説明を省略する。本実施の形態のハードウェア構成は第２の実施の形態と同様である。第２の実施の形態においては、動画撮影開始前に、枠の指定、各枠に割当てる被写体の指定及び各被写体の静止画取得条件を設定する例について説明したが、本実施の形態は枠及び静止画取得条件については動画撮影開始前に行い、被写体の選択は動画撮影開始後に行う例を示している。
【００６６】
本実施の形態においては、ステップＳ２１において組写真の枠を設定した後、図１０のステップＳ２２，Ｓ２３を省略してステップＳ２４に移行し、静止画取得条件を設定する。次に、ステップＳ２５において動画撮影操作が開始されると、表示制御部２１ａは表示部３６の表示画面３６ａ上にライブ画像を表示させる。
【００６７】
本実施の形態においては、この状態で、配置部２１ｇは、ライブ画像中の人物がタッチされた否かを判定する。ユーザが組写真に用いる人物を指定するためにライブ画像中の人物をタッチすると、配置部２１ｇは、顔検出部２５、人体検出部２６及び色・柄検出部２７の出力に基づいて、タッチした人物の判定を行う（ステップＳ３２）。
【００６８】
次に、配置部２１ｇは、ユーザがタッチした人物の枠内へのドラッグ操作があったか否かを判定する（ステップＳ３３）。このドラッグ操作が行われると、配置部２１ｇは、当該人物を含む所定の範囲を切出して、表示制御部２１ａを制御して枠内に動画表示させる。
【００６９】
配置部２１ｇによる枠への被写体の設定が終了すると、条件判定部２１ｃは、当該枠内に動画表示されている被写体を追尾し、被写体の撮像画像が静止画取得条件に一致するか否かを判定する（ステップＳ３５）。追尾中の被写体が静止画取得条件に一致すると、条件判定部２１ｃは、当該被写体を含む所定の範囲を静止画として切出してメモリ部３４に枠に対応させて記憶させる（ステップＳ２８）。また、表示制御部２１ａは、取得した静止画を枠内に表示する。
【００７０】
制御部２１は、ステップＳ１０において、全ての枠に組写真の各写真の静止画が取得された否かを判定する。全ての枠への静止画の取得が終了していない場合には、ステップＳ３１に処理を戻す。以後、ステップＳ３１〜Ｓ３５，Ｓ２８の処理が繰り返される。即ち、ユーザが人物を指定してドラッグする操作によって、枠内に指定された人物を含む動画像が表示され、取得条件が成立することで、枠内に表示されている動画像が条件成立後の静止画に置き換わる。
【００７１】
こうして、全ての静止画が取得されると、画像合成部２１ｆによって組写真が合成される。他の作用は第２の実施の形態と同様である。
【００７２】
このように本実施の形態においては、枠及び静止画取得条件を先に決めておくことで、組写真に用いる被写体をタッチ及びドラッグするだけの簡単な操作によって、動画撮影中に組写真を自動生成することができる。これにより、本実施の形態においても、ユーザは、動画撮影に集中することができ、理想的な動画像を記録することができると同時に、ユーザが希望する構図やタイミングで撮影された静止画による組写真を生成することができる。
【００７３】
なお、上記各実施の形態においては、１種類の枠のパターンを指定し、各枠に対する静止画取得条件を設定する例について説明したが、１又は複数種類の枠のパターンを複数設定し、各枠の設定毎に静止画取得条件を設定して、同時進行で複数の組写真を生成するようにしてもよい。
【００７４】
図１５はこの場合の動作を示すフローチャートである。図１５の例は、第１の組写真がエリアＡ〜Ｃの３つの枠を有するものであり、第２の組写真はエリアＤ，Ｅの２つの枠を有するものである。図１５に示すように、各第１，第２の組写真の設定に従って静止画取得条件が順次判定される。
このように、上記各実施の形態においては、複数の組写真設定を同時（並行）実行することが可能である。
【００７５】
さらに、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話やスマートフォンなど携帯情報端末（ＰＤＡ：Personal Digital Assist）等に内蔵されるカメラでも勿論構わない。また、内視鏡、顕微鏡のような産業用、医療用の光学機器でもよく、監視カメラや据え置き型のカメラ、例えば、テレビジョン受信機やパーソナルコンピュータ等に取り付けられているカメラであってもよい。
【００７６】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【００７７】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【００７８】
また、ここで説明した技術のうち、主にフローチャートで説明した制御や機能は、多くがプログラムにより設定可能であり、そのプログラムをコンピュータが読み取り実行することで上述した制御や機能を実現することができる。そのプログラムは、コンピュータプログラム製品として、フレキシブルディスク、ＣＤ−ＲＯＭ等、不揮発性メモリ等の可搬媒体や、ハードディスク、揮発性メモリ等の記憶媒体に、その全体あるいは一部を記録又は記憶することができ、製品出荷時又は可搬媒体或いは通信回線を介して流通又は提供可能である。利用者は、通信ネットワークを介してそのプログラムをダウンロードしてコンピュータにインストールしたり、あるいは記録媒体からコンピュータにインストールすることで、容易に本実施の形態の撮影機器を実現することができる。
【符号の説明】
【００７９】
１０…撮影機器、１５…撮像部、２１…制御部、２１ａ…表示制御部、２１ｂ…枠生成部、２１ｃ…条件判定部、２１ｄ…動画処理部、２１ｅ…静止画処理部、２１ｆ…画像合成部、２１ｇ…配置部、２５…顔検出部、２６…人体検出部、２７…色・柄検出部、３１…操作検出部、３２…タッチ検出部、３４…メモリ部、３５…画像記録部、３６…表示部、
【図１】
2015012535.tif 000003
【図２】
2015012535.tif 000004
【図３】
2015012535.tif 000005
【図４】
2015012535.tif 000006
【図５】
2015012535.tif 000007
【図６】
2015012535.tif 000008
【図７】
2015012535.tif 000009
【図８】
2015012535.tif 000010
【図９】
2015012535.tif 000011
【図１０】
2015012535.tif 000012
【図１１】
2015012535.tif 000013
【図１２】
2015012535.tif 000014
【図１３】
2015012535.tif 000015
【図１４】
2015012535.tif 000016
【図１５】
2015012535.tif 000017